(57)【要約】【課題】  補助熱交換器から滴下する凝縮水を底板上に正確に導けるとともに、底板の側面を形成するフランジとの隙間を適正に確保し、且つ主熱交換器の下部に向かう空気流を効率よく導けるようにした導水部材を備えた空気調和機の室外機を提供する。【解決手段】  左右に脚部２を備えた底板１上に、同底板１から外周面の一部が突出するように主熱交換器３および補助熱交換器４からなる熱交換器を載置してなる空気調和機の室外機において、前記底板１または前記熱交換器に、前記底板１上に前記熱交換器の凝縮水を導く導水部材５が設けられてなる構成にした。【選択図】  図２
2007240094.tif 000002
【特許請求の範囲】
【請求項１】
左右に脚部を備えた底板上に、同底板から外周面の一部が突出するように熱交換器を載置してなる空気調和機の室外機において、
前記底板または前記熱交換器に、前記底板上に前記熱交換器の凝縮水を導く導水部材が設けられてなることを特徴とする空気調和機の室外機。
【請求項２】
前記導水部材が前記左右の脚部の内側に設けられてなることを特徴とする請求項１に記載の空気調和機の室外機。
【請求項３】
前記導水部材の下端部が、前記底板から離間して同底板のフランジの内側に配置されてなることを特徴とする請求項１に記載の空気調和機の室外機。
【発明の詳細な説明】
【技術分野】
【０００１】
本発明は、空気調和機の室外機に係わり、より詳細には、熱交換器の外周面に補助熱交換器を添設した場合の凝縮水の回収構造に関する。
【背景技術】
【０００２】
従来の空気調和機の室外機は、主( 本体) 熱交換器の外周面に補助熱交換器が設けられ、これら主熱交換器および補助熱交換器を含む室外空調ユニットを収納するケーシングと、ケーシングの一部を構成するとともに補助熱交換器の外面側を覆う保護カバーとを備え、保護カバーは補助熱交換器で発生する凝縮水をケーシング内部に設けられる排水部に案内する凝縮水案内部を備えている。
【０００３】
これにより、例えば主熱交換器の外周面に突出するような形態で補助熱交換器が設けられているような場合、これら主熱交換器および補助熱交換器の外周面に沿った状態でケーシングを構成することで、補助熱交換器に対応する部分は外方に突出するようになっているが、補助熱交換器の外面側を覆う保護カバーに凝縮水案内部を設けることにより、ケーシング内部に凝縮水を案内し、機外に凝縮水が滴下することを防止できるようにした構造でなるものが開示されていた（例えば、特許文献１参照。）。
【０００４】
【特許文献１】特開２００３−４２５８６号公報
【発明の開示】
【発明が解決しようとする課題】
【０００５】
しかしながら、凝縮水をケーシング内部に案内する凝縮水案内部が、主熱交換器および補助熱交換器の外面側を覆う保護カバーに設けられた構成になっていて、底板に設けられた構成になっていないことから、前記保護カバー自体の変形や、同保護カバーの取付時の位置ずれなどが生じて凝縮水を正確に案内できにくくなるおそれがあったり、また、前記凝縮水案内部が底板の側面を形成するフランジに断続的に接触することで運転時に振動音が発生する原因になるおそれがあった。
【０００６】
また、前記保護カバー自体の変形や、同保護カバーの取付時の位置ずれなどが生じることで、主熱交換器の下部に向かう空気流を前記凝縮水案内部が遮蔽して熱交換効率低下の原因になってしまったり、逆に、前記凝縮水案内部と前記底板との隙間が大きくなることで内部が見えるようになって外観性を損ねてしまうおそれがあった。
【０００７】
そこで、本発明は上述した課題を解決するためになされたものであって、その目的は、補助熱交換器から滴下する凝縮水を底板上に正確に導けるとともに、底板の側面を形成するフランジとの隙間を適正に確保できるようにし、且つ主熱交換器の下部に向かう空気流を効率よく導けるようにした導水部材（凝縮水案内部）を備えた空気調和機の室外機を提供することにある。
【課題を解決するための手段】
【０００８】
上述した目的を達成するため、本発明は以下に示す特徴を備えている。
左右に脚部を備えた底板上に、同底板から外周面の一部が突出するように熱交換器を載置してなる空気調和機の室外機において、
前記底板または前記熱交換器に、前記底板上に前記熱交換器の凝縮水を導く導水部材が設けられてなることを特徴としている。
【０００９】
また、前記導水部材が前記左右の脚部の内側に設けられてなることを特徴としている。
【００１０】
また、前記導水部材の下端部が、前記底板から離間して同底板のフランジの内側に配置されてなることを特徴としている。
【発明の効果】
【００１１】
本発明によれば、底板上に載置した熱交換器の外周面に、同底板から突出するように補助熱交換器が添設されるとともに、前記底板または前記熱交換器もしくは前記補助熱交換器に、前記底板上に前記補助熱交換器の凝縮水を導く導水部材が設けられてなる構成にしたので、前記導水部材は前記底板に対する変形や位置ずれなどが生じにくくなって凝縮水を正確に案内できるようになる。
【００１２】
また、前記導水部材が前記底板または前記熱交換器もしくは前記補助熱交換器に設けられることで、運転時に同底板のフランジに断続的に接触して振動音が発生するということがなくなり、熱交換器の下部に向かう空気流を効率よく導けることで熱交換効率の低下を防ぐことができるようになるとともに、前記底板上で凝縮水が結氷してしまわないように防止できるようになり、さらに、前記導水部材の下端部を前記底板のフランジに平行状態に配置することで、内部が見えないようになって外観性を損ねてしまうおそれがない空気調和機の室外機となる。
【発明を実施するための最良の形態】
【００１３】
以下、本発明の実施の形態を、添付図面に基づいた実施例として詳細に説明する。
図１は本発明による空気調和機の室外機の説明図で、（Ａ）は背面側からの斜視図、（Ｂ）は上面カバーを取り外した平面図であり、図２は図１（Ｂ）に示す一実施例としてのＡ−Ａ断面図であり、図３は図１（Ｂ）に示す他の実施例としてのＡ−Ａ断面図であり、図４は本発明による空気調和機の室外機の要部説明図で、（Ａ）は底板と導水部材と熱交換器および補助熱交換器とを示す斜視図、（Ｂ）は底板と導水部材とを示す斜視図である。
【００１４】
本発明による空気調和機の室外機は、図に示すように、左右に脚部２を備えた底板１上が、同底板１上に立設した仕切板ａにより圧縮機室と熱交換器室とに区画され、前記圧縮機室には圧縮機ｂが設けられ、前記熱交換器室には主熱交換器３および補助熱交換器４からなる熱交換器が設けられている。
【００１５】
前記熱交換器は、前記主熱交換器３の外周面に前記底板１から突出するように前記補助熱交換器４が添設されることによって、容量を大型化して熱交換できる能力を向上させた構成になっている。
【００１６】
より詳細には、前記熱交換器は、前記主熱交換器３に前記補助熱交換器４を添設したことによって、内部を通過する冷媒と外表面を通過する空気との間で熱交換を行なう機能を有しており、１または複数の系統に分岐される冷媒経路を構成する伝熱管３ａを有する前記主熱交換器３と、同主熱交換器３が凝縮器として機能する際における同主熱交換器３の冷媒経路の出口側に接続される１または複数の系統に分岐される冷媒経路を構成する伝熱管４ａを有し、同主熱交換器３内で液化された過冷却液冷媒を収容する補助熱交換器４とからなる構成により、容量を大型化して熱交換できる能力を向上させている。
【００１７】
この場合、過冷却液冷媒を前記補助熱交換器４に滞留させることによって、前記主熱交換器３の伝熱面積を縮小することなく、また前記主熱交換器３の凝縮能力を低下させることなく、冷媒に対して過冷却を付与することができる。
【００１８】
また、前記主熱交換器３と通過する空気との接触面積が、前記補助熱交換器４と通過する空気との接触面積よりも大きく形成され、且つ、前記補助熱交換器４が前記主熱交換器３よりも通過する空気の上流側であって、前記底板１から外側に突出するように配置されている。
【００１９】
この場合、前記主熱交換器３と前記補助熱交換器４とを空気流に対して重合する位置に配置するように構成でき、前記主熱交換器３により熱交換を行なう前の空気流が前記補助熱交換器４に接触するようになるため、前記主熱交換器３の熱交換能力を損なうことがなく、前記補助熱交換器４内の冷媒の過冷却状態を維持することができる。
【００２０】
また、前記補助熱交換器４は少なくとも一部が前記主熱交換器３の下部に添設されており、この場合、前記主熱交換器３で凝縮した液冷媒が前記主熱交換器３内に滞留することを防止でき、前記補助熱交換器４内に導入することが容易となる。
【００２１】
また、前記補助熱交換器４の伝熱管４ａの内径が、前記主熱交換器３の伝熱管３ａの内径以下に設定されており、この場合、前記補助熱交換器４内を通過する冷媒の流速を高めることができ、凝縮した液冷媒の熱交換を促進して過冷却の付与を容易にしている。
【００２２】
前記底板１には前記圧縮機ｂ、前記主熱交換器３および前記補助熱交換器４などを収容するケーシング６が被着されるとともに、同ケーシング６の上面には上面カバー７が設けられ、背面には前記主熱交換器３を保護するための通風自在な（網状の）保護カバー８が設けられている。
【００２３】
前記補助熱交換器４の下部には、図１（Ａ）および図１（Ｂ）と、図２と、図３とに示すように、同補助熱交換器４から滴下する凝縮水を受けて前記底板１上に導くための導水部材５が設けられている。
【００２４】
前記導水部材５は、一実施例として図１（Ａ）と、図２と、図４（Ａ）および図４（Ｂ）とに示すＢ部のように、前記補助熱交換器４の複数箇所が前記底板１の側面を形成するフランジ１ａに溶着（スポット溶接）されることで、変形や位置ずれを生じさせることなく強固に固定できるようになる。なお、図４（Ｂ）に示す分解斜視図のように、前記底板１のフランジ１ａに前記導水部材５を溶着（スポット溶接）した後に、図４（Ａ）に示す分解斜視図のように、前記底板１上に前記補助熱交換器４を添設した前記主熱交換器３を載置するように構成されている。
【００２５】
または、前記導水部材５は、他の実施例として図３に示すように、前記熱交換器の伝熱管４ａおよび３ａに夫々係止する係止部５ｃを上下に備え、前記導水部材５に突設された複数の係止片５ｂによって前記熱交換器に設けられるようにしてもよい。
【００２６】
これらにより、図２および図３に示すように、前記補助熱交換器４から滴下する凝縮水を前記導水部材５で正確に受けることができて、前記底板１上に円滑に導くことができるようになっている。
【００２７】
前記導水部材５は、前記左右の脚部２の内側に設けられることで、上述したように前記補助熱交換器４から滴下する凝縮水を正確に受けることができるとともに、前記脚部２に設けられた固定用の孔２ａに図示しないボルトを通す時に邪魔にならないようになって、室外機を設置するときの工事作業性の低下を防ぐことができるようになる。
【００２８】
また、図２に示すように、前記導水部材５の下端部５ａは、前記底板１から離間させて前記主熱交換器３の外周面と前記底板１のフランジ１ａとの間に、同フランジ１ａと平行に配置されてなる構成にしている。
【００２９】
これにより、前記導水部材５の下端部５ａと、前記底板１のフランジ１ａとが互いに隙間を有した構成になり、図２に示す矢印ａおよび矢印ｂのように、前記主熱交換器３および前記補助熱交換器４の下部に向けて空気を導入できる空気通路を形成できるようにした構成になって熱交換効率を高めることができるようになる。
【００３０】
また、前記主熱交換器３および前記補助熱交換器４の下部に向けて空気を導入できる空気通路を形成したことで、前記底板１上に滴下した凝縮水が風に当たることによって結氷してしまわないようになり、同底板１に設けられた排水口に向けて円滑に導かれるようになる。
【００３１】
また同時に、前記導水部材５の下端部５ａと、前記底板１のフランジ１ａとがオーバーラップした状態で平行に配置され、もしくは、これら下端部５ａとフランジ１ａの先端部とが同じ高さ位置で平行に配置されることにより、機外からの視線を遮ることができて内部が見えないようになるため、外観性を損ねてしまうというおそれがなくなる。
【００３２】
以上説明したように、本発明によれば、前記補助熱交換器４から滴下する凝縮水を前記導水部材５で正確に受けて前記底板１上に円滑に導けるようになり、また、前記導水部材５を前記左右の脚部２の内側に設けたことで室外機を設置するときの工事作業性を良好にし、また、前記主熱交換器３および前記補助熱交換器４の下部に向けて空気を導入できる空気通路を形成したことで熱交換効率を高め、前記底板１上での凝縮水の結氷を防ぐことができるようにした空気調和機の室外機となる。
【図面の簡単な説明】
【００３３】
【図１】本発明による空気調和機の室外機の説明図で、（Ａ）は背面側からの斜視図であり、（Ｂ）は上面カバーを取り外した平面図である。
【図２】図１（Ｂ）に示す一実施例としてのＡ−Ａ断面図である。
【図３】図１（Ｂ）に示す他の実施例としてのＡ−Ａ断面図である。
【図４】本発明による空気調和機の室外機の要部説明図で、（Ａ）は底板と、導水部材と、熱交換器および補助熱交換器とを示す斜視図であり、（Ｂ）は底板と、導水部材とを示す斜視図である。
【符号の説明】
【００３４】
１  底板
１ａ  フランジ
２  脚部
２ａ  固定用の孔
３  熱交換器
３ａ  伝熱管
４  補助熱交換器
４ａ  伝熱管
５  導水部材
５ａ  下端部
５ｂ  係止片
５ｃ  係止部
６  ケーシング
７  上面カバー
８  保護カバー
ａ  仕切板
ｂ  圧縮機
【図１】
2007240094.tif 000003
【図２】
2007240094.tif 000004
【図３】
2007240094.tif 000005
【図４】
2007240094.tif 000006